(57)【要約】【課題】  高温の水が吐水されるように設定されているとき、押し釦の誤操作を防止することができる水栓装置を提供する。【解決手段】  本発明は、開閉弁の開閉により止水・吐水状態を切り替える水栓装置（１０１）であって、水栓本体（１０２）と、これに取り付けられる少なくとも２つの開閉弁ユニットと、水栓本体に、各開閉弁ユニットに対応して取り付けられ、押圧操作するごとに開閉弁ユニットを閉じて止水状態とし、開いて吐水状態とする少なくとも２つの押し釦（１０８、１１０）と、水栓本体に取り付けられ、回転操作することにより水栓装置から吐出される水温を調節する温度調整用ダイヤル（１０４）と、この温度調整用ダイヤルと連動し、温度調整用ダイヤルを高温に設定したとき、押し釦のうちの少なくとも１つの少なくとも一部分を覆って誤操作を防止する誤操作防止機構（１０５）と、を有することを特徴としている。【選択図】      図１
2005171519.tif 000002
【特許請求の範囲】
【請求項１】
開閉弁の開閉により止水状態と吐水状態を切り替える水栓装置であって、
水栓本体と、
この水栓本体に取り付けられる少なくとも２つの開閉弁と、
上記水栓本体に、上記各開閉弁に対応して取り付けられ、押圧操作するごとに開閉弁を閉じて止水状態とすると共に開閉弁を開いて吐水状態とする少なくとも２つの押し釦と、
上記水栓本体に取り付けられ、回転操作することにより上記水栓装置から吐出される水温を調節する温度調整用ダイヤルと、
この温度調整用ダイヤルと連動し、上記温度調整用ダイヤルを高温に設定したとき、上記押し釦のうちの少なくとも１つの押し釦の少なくとも一部分を覆って誤操作を防止する誤操作防止機構と、
を有することを特徴とする水栓装置。
【請求項２】
上記誤操作防止機構が、上記温度調整用ダイヤルから延びるカバー部材であり、上記温度調整用ダイヤルを高温の位置に設定したとき、上記カバー部材が誤操作を防止したい上記押し釦の少なくとも一部分を覆う請求項１記載の水栓装置。
【請求項３】
上記少なくとも２つの押し釦及び上記温度調整用ダイヤルが上記水栓本体上に直列に配置されており、上記カバー部材は上記温度調整用ダイヤルから上記押し釦の方へ延び、上記温度調整用ダイヤルを高温の位置に設定したとき、上記カバー部材が誤操作を防止したい上記押し釦の少なくとも一部分を覆う請求項２記載の水栓装置。
【請求項４】
開閉弁の開閉により止水状態と吐水状態を切り替える水栓装置であって、
水栓本体と、
この水栓本体に取り付けられる少なくとも２つの開閉弁と、
上記水栓本体に、上記各開閉弁に対応して取り付けられ、押圧操作するごとに開閉弁を閉じて止水状態とすると共に開閉弁を開いて吐水状態とする少なくとも２つの押し釦と、
上記水栓本体に取り付けられ、回転操作することにより上記水栓装置から吐出される水温を調節する温度調整用ダイヤルと、
この温度調整用ダイヤルと連動し、上記温度調整用ダイヤルを高温に設定したとき、上記押し釦のうちの少なくとも１つを操作不能にして誤操作を防止する係止機構と、
を有することを特徴とする水栓装置。
【請求項５】
上記係止機構が、上記温度調整用ダイヤルの操作によって移動される係止部材であり、上記温度調整用ダイヤルを高温に設定すると、上記係止部材が誤操作を防止したい上記押し釦の操作を阻止する請求項４記載の水栓装置。
【請求項６】
上記少なくとも２つの押し釦が、シャワー用押し釦と、カラン用押し釦であり、上記誤操作防止機構又は上記係止機構が、上記シャワー用押し釦の誤操作を防止する請求項１乃至５の何れか１項に記載の水栓装置。
【請求項７】
上記少なくとも２つの押し釦が、原水吐水用押し釦と、浄水器吐水用押し釦であり、上記誤操作防止機構又は上記係止機構が、上記浄水器吐水用押し釦の誤操作を防止する請求項１乃至５の何れか１項に記載の水栓装置。
【発明の詳細な説明】
【技術分野】
【０００１】
本発明は、水栓装置に係わり、特に、開閉弁の開閉により止水状態と吐水状態を切り替える水栓装置に関する。
【背景技術】
【０００２】
従来から、押し釦を操作することにより、弁体の開閉を止水状態と吐水状態の２状態に切り替え制御するようにした水栓装置が知られている。
【０００３】
例えば、特開平１０−１６９８０１号公報（特許文献１）には、押し釦として、支軸を中心に揺動するシーソー式のレバーを設け、その押し釦を押圧操作することにより、ダイヤフラム式の開閉弁の弁体を開位置及び閉位置に位置させることにより止水状態と吐水状態を切り替える水栓装置が記載されている。また、実開昭５２−９８８２８号公報（特許文献２）にも、押し釦の操作により止水状態と吐水状態を切り替える水栓装置が記載されている。これらの水栓装置には、シャワー用及びカラン用の押し釦が設けられ、各押し釦を操作することにより、シャワー又はカランから吐水させることができる。
【０００４】
【特許文献１】特開平１０−１６９８０１号公報
【特許文献２】実開昭５２−９８８２８号公報
【発明の開示】
【発明が解決しようとする課題】
【０００５】
上述した特許文献１又は２のように押し釦により止水、吐水を切り替える水栓装置は、押し釦の操作だけで吐水させることができるので大変便利である反面、吐水する水温が高温に設定されている場合、誤ってシャワー用の押し釦に触れてしまい、それにより吐水状態となると、高温の湯を頭から被ってしまうことになり大変危険である。あるいは、水栓装置がキッチンにおいて使用され、２つの釦で原水の吐水と浄水器を介した吐水を切り換えているような場合に、高温に設定されている状態で浄水器用の釦を誤って押してしまうと、浄水器に高温の湯が流れ込み、浄水器のフィルターを破損してしまう恐れがあるという問題がある。
【０００６】
従って、本発明は、高温の水が吐水されるように設定されているとき、押し釦の誤操作を防止することができる水栓装置を提供することを目的としている。
【課題を解決するための手段】
【０００７】
この目的を達成するために、本発明は、開閉弁の開閉により止水状態と吐水状態を切り替える水栓装置であって、水栓本体と、この水栓本体に取り付けられる少なくとも２つの開閉弁と、水栓本体に、各開閉弁に対応して取り付けられ、押圧操作するごとに開閉弁を閉じて止水状態とすると共に開閉弁を開いて吐水状態とする少なくとも２つの押し釦と、水栓本体に取り付けられ、回転操作することにより水栓装置から吐出される水温を調節する温度調整用ダイヤルと、この温度調整用ダイヤルと連動し、温度調整用ダイヤルを高温に設定したとき、押し釦のうちの少なくとも１つの押し釦の少なくとも一部分を覆って誤操作を防止する誤操作防止機構と、を有することを特徴としている。
【０００８】
このように構成された本発明においては、温度調整用ダイヤルが高温に設定されると、水栓本体に取付けられた押し釦のうち、高温の水が吐出すると不都合が生じる対象に吐水するための押し釦の少なくとも一部分が、誤操作防止機構によって覆われて、その押し釦を押し難くし、又は押すことをできなくする。
このように構成された本発明によれば、高温の水が吐水されるように設定されているときの、押し釦の誤操作による事故を防止することができる。
【０００９】
本発明において、好ましくは、誤操作防止機構が、温度調整用ダイヤルから延びるカバー部材であり、温度調整用ダイヤルを高温の位置に設定したとき、カバー部材が誤操作を防止したい押し釦の少なくとも一部分を覆う。
このように構成された本発明によれば、高温に設定したとき誤動作を防止したい押し釦の少なくとも一部がカバー部材によって覆われるので、高温に設定されていることが一目で認識でき、誤動作を防止することができる。
【００１０】
また、本発明において、好ましくは、少なくとも２つの押し釦及び温度調整用ダイヤルが水栓本体上に直列に配置されており、カバー部材は温度調整用ダイヤルから押し釦の方へ延び、温度調整用ダイヤルを高温の位置に設定したとき、カバー部材が誤操作を防止したい押し釦の少なくとも一部分を覆う。
このように構成された本発明によれば、非常に簡単な構造で誤操作防止機構を構成することができる。
【００１１】
本発明は、開閉弁の開閉により止水状態と吐水状態を切り替える水栓装置であって、水栓本体と、この水栓本体に取り付けられる少なくとも２つの開閉弁と、水栓本体に、各開閉弁に対応して取り付けられ、押圧操作するごとに開閉弁を閉じて止水状態とすると共に開閉弁を開いて吐水状態とする少なくとも２つの押し釦と、水栓本体に取り付けられ、回転操作することにより水栓装置から吐出される水温を調節する温度調整用ダイヤルと、この温度調整用ダイヤルと連動し、温度調整用ダイヤルを高温に設定したとき、押し釦のうちの少なくとも１つを操作不能にして誤操作を防止する係止機構と、を有することを特徴としている。
【００１２】
このように構成された本発明においては、温度調整用ダイヤルを高温に設定すると、係止機構が、高温の水が吐水されると不都合のある対象に吐水するための押し釦を操作不能にするので、押し釦の誤操作による事故を回避することができる。
【００１３】
本発明において、好ましくは、係止機構が、温度調整用ダイヤルの操作によって移動される係止部材であり、温度調整用ダイヤルを高温に設定すると、係止部材が誤操作を防止したい押し釦の操作を阻止する。
【００１４】
また、本発明において、好ましくは、少なくとも２つの押し釦が、シャワー用押し釦と、カラン用押し釦であり、誤操作防止機構又は係止機構が、シャワー用押し釦の誤操作を防止する。
このように構成された本発明においては、高温の水がシャワーから不意に吐水し、火傷を負うという危険を回避することができる。
【００１５】
さらに、本発明において、好ましくは、少なくとも２つの押し釦が、原水吐水用押し釦と、浄水器吐水用押し釦であり、誤操作防止機構又は係止機構が、浄水器吐水用押し釦の誤操作を防止する。
このように構成された本発明においては、高温の水が浄水器に流入して浄水器のフィルターを損傷するのを防止することができる。
【発明の効果】
【００１６】
以上説明したように、本発明の水栓装置によれば、高温の湯が吐水されるように設定されているとき、押し釦の誤操作を防止することができる。
【発明を実施するための最良の形態】
【００１７】
以下に添付図面を参照して本発明の実施形態を説明する。
先ず、図１乃至図５により、本発明の第１実施形態の水栓装置である湯水混合水栓の基本構成を説明する。図１は、本発明の第１実施形態による湯水混合水栓を示す全体斜視図であり、図２は、図１に示された湯水混合水栓の正面図、左側面図及び右側面図であり、図３は、図１に示す湯水混合水栓の部品を展開して示す展開図であり、図４は、本発明の第１実施形態の水栓本体を示す平面図であり、図５は図４のＡ−Ａ線、Ｂ−Ｂ線及びＣ−Ｃ線に沿って見た断面図である。
【００１８】
図１及び図２に示すように、符号１０１は、本実施形態による湯水混合水栓を示し、この湯水混合水栓１０１は、湯水混合水栓１０１の設置面である壁面から突出して設けられている。この湯水混合水栓１０１は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、これらの押し釦１０８，１１０が取り付けられるベースプレート１１２、及び、押し釦１０８，１１０をロックして止水状態を保持するロック機構１４２から構成されている。また、温度調整用ダイヤル１０４には、誤操作防止機構であるカバー部材１０５が設けられ、このカバー部材１０５は、一方の端部に取付けられた温度調整用ダイヤル１０４から、水栓本体１０２の他方の端部まで延びている。
【００１９】
温度調整用ダイヤル１０４により所望の水温が設定され、湯水の混合比が調整されて、適温の吐水を得ることができる。使用者は、温度調整用ダイヤル１０４により所望の温度を設定するとともに、カラン吐水を得たい場合はカラン用押し釦１０８を、シャワー吐水を得たい場合はシャワー用押し釦１１０を押すことにより、直ちに、所望の温度の混合水の吐水を得ることができる。そして、各押し釦１０８、１１０を再度押すと、止水されるようになっている。ここで、カラン用押し釦１０８及びシャワー用押し釦１１０のそれぞれ操作面を水栓本体１０２の表面とほぼ同一面上に設けることにより、操作性を向上させている。
【００２０】
さらに、温度調整用ダイヤル１０４には、高温吐水用釦１０９が設けられている。温度調整用ダイヤル１０４を所定温度以上に設定するには、温度調整用ダイヤル１０４をその所定温度まで回し、そこで高温吐水用釦１０９を押してロックを解除し、更に温度調整用ダイヤル１０４を高温側へ回転させる必要がある。これにより、温度調整用ダイヤル１０４を無意識のうちに高温側へ回してしまうのを防止している。
【００２１】
カバー部材１０５は、温度調整用ダイヤル１０４から、図１における水栓本体１０２の右側の端部まで延びる棒状の部材であり、右側の端部で回動自在に支持されている。従って、カバー部材１０５は温度調整用ダイヤル１０４と連動して水栓本体１０２の周りを図２（ｃ）に示すように移動する。さらに、カバー部材１０５の右側の端部には、カバー板１０５ａが設けられている。温度調整用ダイヤル１０４を、シャワーから吐水すると危険な温度、例えば４５゜Ｃ以上の位置まで回転させると、カバー板１０５ａは温度調整用ダイヤル１０４と共に移動して、図２（ｃ）の位置Ａ１から押し釦１０８，１１０の上方の位置Ａ２に移動する。カバー部材１０５が押し釦１０８，１１０の上方に移動した、位置Ａ２においては、カバー部材１０５のカバー板１０５ａは、シャワー用の押し釦である押し釦１１０の面積の約３／４を覆い、押し釦１１０は非常に操作しにくくなる。このため、温度調整用ダイヤル１０４を高温に設定したときに、誤ってシャワー用の押し釦１１０を押してしまうことや、押し釦１１０の上から物が落下して押し釦１１０が押されてしまう危険が回避される。なお、本実施形態においては、押し釦１０８，１１０を吐水状態の位置にすると、押し釦１０８，１１０は水栓本体１０２よりも上方に突出するので、押し釦１０８，１１０とカバー板１０５ａとの間には、押し釦１０８，１１０の突出分の隙間が設けられているが、この隙間は小さいので、この隙間に誤って指を差し入れて押し釦１０８，１１０を操作してしまうことはない。しかしながら、シャワー用の押し釦１１０は、カバー板１０５ａによって完全には覆われていないので、意図的にシャワーから高温の湯を吐水したい場合には、押し釦１１０の覆われていない部分に指を差し入れて、シャワー用の押し釦１１０を押すことも可能である。一方、カラン用の押し釦である押し釦１０８の部分には、カバー板１０５ａが存在しないので、カバー部材１０５が押し釦１０８の上方に移動しても、押し釦１０８は依然として操作可能である。
【００２２】
本実施形態においては、カバー部材１０５のカバー板１０５ａは、シャワー用の押し釦１１０の一部分を覆っているので、温度調整用ダイヤル１０４が高温に設定されたときでも、意図的に押し釦１１０を押すことが可能であるが、変形例として、カバー板１０５ａがシャワー用の押し釦１１０全体を覆い隠すように構成しても良い。
【００２３】
カラン用押し釦１０８の取付け位置の前方下面側には、カラン吐水口１１６が設けられ、また、シャワー用押し釦１１０の取付け位置の背面側には、シャワー吐水口１１８（図２参照）が設けられている。カラン吐水口１１６には、カラン吐水管１２０が接続され、また、シャワー吐水口１１８には図示しないシャワーヘッドに連通したシャワーホース１２２が接続されている。
【００２４】
本実施形態によれば、温度調整用ダイヤル１０４、カラン用押し釦１０８及びシャワー用押し釦１１０の順番で、水栓本体１０２上に配置され、さらに、カラン用押し釦１０８の位置及びカラン吐水口１１６の位置が上方から見てほぼ一致するようになっているので、使用者の使い勝手の良いものとなる。
【００２５】
次に、湯水混合水栓１０１内における湯水の流れを説明すると、先ず、給水管、給湯管から湯水混合水栓１０２内に流入した湯水は、湯用、水用それぞれに設けられた止水栓により適当な流量に絞られ、湯用、水用それぞれに設けられたフィルターおよび逆止弁を通過し、温度調節弁に流入する。温度調節弁はサーモスタット式の湯水混合弁であり、湯と水は所望の設定された温度に自動調整され、湯水混合水が温度調節弁から流出する。その後、湯水混合水はカラン用、シャワー用それぞれに設けられた開閉弁ユニット（パイロット式開閉弁装置）１３０，１３２を経て、カランおよびシャワーヘッドから吐水される。
【００２６】
図３に示すように、開閉弁ユニット１３０，１３２は、それぞれ、開閉弁ユニット取付用ナット１３４により、水栓本体１０２に固定されるようになっている。ここで、開閉弁ユニット１３０，１３２の詳細構造は、図１２乃至図１６により後述する。
【００２７】
また、押ボタンユニット１０６も、固定用ビス１３６により、水栓本体１０２に固定されるようになっている。
ここで、図５（ａ）は、図４に示す水栓本体をＡ−Ａ線に沿って見た断面図であり、図５（ｂ）は水栓本体をＢ−Ｂ線に沿って見た断面図であり、図５（ｃ）は水栓本体をＣ−Ｃ線に沿って見た断面図である。
【００２８】
図４及び図５に示すように、水栓本体１０２には、その背部から、湯及び水が供給されるが、その前方側では、ほぼ水及び温度調整された水（温調水）のみが流れるようになっているので、水栓本体に触れても火傷することがないので、断熱カバー等を設ける必要がない。
【００２９】
次に、図６乃至図１１により、押ボタンユニット１０６の詳細構造を説明する。図６は押ボタンユニット１０６の部品を展開して示す展開図、図７は押し釦１０８（１１０）を裏側から見た斜視図、図８は押ボタンユニット１０６の正面図、図９は図８のＤ−Ｄ線に沿って見た断面図、図１０は使用者が押し釦１０８（１１０）を操作するときの押し釦の各レベルを示す混合水栓の部分断面図、図１１は押し釦による止水状態（図１１（ａ））と吐水状態（図１１（ｂ））を示す側面図である。
【００３０】
図６に示すように、押ボタンユニット１０６は、上述したように、ベースプレート１１２と、このベースプレート１１２に取り付けられるカラン用押し釦１０８及びシャワー用押し釦１１０を備えている。
また、ベースプレート１１２は、カラン用押し釦１０８及びシャワー用押し釦１１０の間にこれらの押し釦を仕切る仕切り部１３８を一体的に備えている。
【００３１】
さらに、押ボタンユニット１０６は、これらの押し釦１０８，１１０をベースプレート１１２に取り付けたとき、押し釦１０８，１１０をベースプレート１１２に押し付けるための付勢手段であるコイルばね１４０、及び、押し釦１０８，１１０を操作しても、止水状態を保持して吐水状態とならないようにするためのロック機構１４２を備えている。
【００３２】
次に、図７に示すように、押し釦１０８（１１０）は、その一端側に一対の支持軸１４４（１４４ａ，１４４ｂ）が設けられ、この支持軸１４４のうちの長い方の支持軸１４４ａには、コイルばね１４０が取り付けられている（図９参照）。また、押し釦１０８（１１０）の裏面側には、開閉弁ユニット１３０（１３２）の操作部３６（図１３参照）と当接して使用者の押圧力を伝達する操作用突起１４６が一体的に設けられている。
【００３３】
図９に示すように、取付時には、先ず、押し釦１０８（１１０）の支持軸１４４ａに、コイルばね１４０を装着し、次に、ベースプレート１１２に取り付ける。具体的には、シャワー用押し釦１０８の支持軸１４４ａは、ベースプレート１１２の取付用溝１４８を形成する突起１５０（１５０ａ，１５０ｂ）に当接し、弾性変形して内側にたわみ、突起１５０を乗り越えて、取付用溝１４８内に回動可能に取り付けられる。
【００３４】
図１０（ａ）は、止水時の押し釦の状態（閉状態）を示しており、このとき、押し釦１０８（１１０）の上面と、水栓本体１０２の上面（表面）は同じレベルとなっている。この止水時の押し釦の状態（閉状態）時、開閉弁ユニット１３０（１３２）において、押し釦１０８（１１０）の裏面側（下面側）の操作用突起１４６に接触する操作部３６（図１３参照）の位置は、パイロット弁切替保持機構（ハートカム機構）６２（図１３参照）により、レベルＬ０となっている。
次に、止水状態から吐水状態に切り替えるときは、図１０（ｂ）に示すように、押し釦１０８（１１０）は、パイロット弁切替保持機構（ハートカム機構）６２が解除されるため、一旦、最下方位置まで下がる。
【００３５】
次に、図１０（ｂ）の状態から吐水操作を終了したときは、図１０（ｃ）に示す状態となり、このとき、押し釦１０８（１１０）の上面が、水栓本体１０２よりｈ１だけ高い位置となっている。具体的には、この吐水状態時、開閉弁ユニット１３０（１３２）において、押し釦１０８（１１０）の操作用突起１４６に接触する操作部３６の位置は、パイロット弁切替保持機構６２により、レベルＬ１となっている。このレベルＬ１の位置は、レベルＬ０よりも、ｈ１だけ、高い位置となっており、その結果、押し釦１０８（１１０）が、水栓本体１０３の表面よりも、上方に位置するようになっている。
【００３６】
図１１（ａ）に示すように、止水状態のときは、押し釦１０８（１１０）は、押し釦１０８（１１０）とベースプレート１１２との間で作用するコイルばね１４０による比較的に小さな付勢力により、または、付勢力がほぼゼロの状態で、開閉弁ユニット１３０（１３２）の操作部３６に対して、下方に押し付けられている。また、図１１（ｂ）に示すように、吐水状態のときは、押し釦１０８（１１０）は、コイルばね１４０による比較的に大きな付勢力により、下方に押し付けられている。
【００３７】
このため、使用者が、止水状態から吐水状態とするための吐水操作をした時、押し釦１０８（１１０）は、コイルばね１４０により、ベースプレート１１２、即ち、下方に押し付けられるので、釦自体が振動する（暴れる）ことを防止することができる。
【００３８】
次に、図１２により、パイロット式開閉弁装置である開閉弁ユニット１３０（１３２）の基本構造を説明する。
図１２に示すように、開閉弁ユニット１３０（１３２）は、使用者がシャワー用の押し釦１０８（１１０）を押すとこの押圧操作により下方に押される操作部３６と、操作部３６にその基端が結合された押し棒３８と、この押し棒３８の先端に設けられたパイロット弁４０とを備えている。ここで、押し棒３８の先端（下端）とパイロット弁４０との間には緩衝手段であるコイルばね４２が設けられている。開閉弁ユニット３２は、更に，パイロット弁４０の下方に、パイロット弁口（圧力開放穴）４４を備えパイロット弁４０がこのパイロット弁口４４に当接及び解離するダイヤフラム式の主弁４６と、この主弁４６の背面に形成され押し棒３８、パイロット弁４０及びコイルばね４２を収納する圧力室４８を形成するためのハウジング５０と、主弁４６の表面が着座及び離座する弁座５２とを備えている。また、ハウジング５０の押し棒３８が挿通される部分には、シール部材５４が設けられている。さらに、主弁４６の外周側には、小穴（一次圧流入口）５６が形成されている。
【００３９】
次に、開閉弁ユニット１３０（１３２）の基本動作を説明する。この開閉弁ユニット１３０（１３２）においては、圧力室４８内に設けられたパイロット弁４０を、主弁４６のパイロット弁口４４に当接及び解離させることで、パイロット弁４０を開閉し、止水と吐水を切り替えるようになっている。
【００４０】
先ず、吐水状態から止水状態に切り替えるときは、押し棒３８によりパイロット弁４０をパイロット弁口４４に当接する方向に押さなければならない。このとき、押し棒３８は、その断面積に相当する面積に作用する水圧により上向きの力を受け、さらに、シール部材５４による摺動摩擦抵抗があり、これらに抗して操作部３６を押す必要があるが、この力（操作力）は小さな値である。
【００４１】
次に、パイロット弁４０が主弁４６のパイロット弁口４４に当接すると、一次側通水路の一次圧の水が小穴５６を通って圧力室４８内に流入し、これに伴い、主弁４６が遅い速度で、弁座５２に向って移動する。これにより、主弁４６が弁座５２に着座し、止水状態に切り替わる。
【００４２】
さらに、この開閉弁ユニット１３０（１３２）では、緩衝手段であるコイルばね４２を、押し棒３８とパイロット弁４０との間、即ち、圧力室４８内に設けたので、このコイルばね４２には、パイロット弁４０がパイロット弁口４４に当接するまでは力は作用せず、さらに、詳細は後述するように、パイロット弁４０がパイロット弁口４４に当接した以降も小さな力を作用させればよい。
【００４３】
また、止水状態から吐水状態に切り替えるときは、操作部３６を押せば、後述するパイロット弁保持切替機構６２及び付勢用ばね６８により、パイロット弁４０が主弁４６のパイロット弁口（圧力開放穴）４４から解離し、それにより、圧力室４８が開放され、主弁４６が弁座５２から離座し、吐水状態となる（図１４参照）。
【００４４】
なお、開閉弁ユニット３２では、上述したように、主弁４６の移動速度を意図的に小さくしているが、これは、主弁４６の閉止時のウォーターハンマーの発生を抑えるためである。即ち、主弁４６に設けられた小穴５６から圧力室４８に一次側の水が流入することで圧力室４８内が一次圧の水で満たされ、主弁４６が弁座５２の方向に移動するが、小穴５６を通常非常に小さな径としているので、圧力室４８への水の流入速度が抑えられ、これにより、主弁４６の移動速度（閉止速度）を抑え、主弁閉止時のウォーターハンマーの発生を抑えるようにしている。
【００４５】
次に、図１３及び図１４により、開閉弁ユニット（パイロット式開閉弁装置）１３０（１３２）の構造をより具体的に説明する。図１３は開閉弁ユニット（パイロット式開閉弁装置）における止水状態（閉状態）を示す断面図であり、図１４は開閉弁ユニット（パイロット式開閉弁装置）における吐水状態（開状態）を示す断面図である。
【００４６】
先ず、図１３に示すように、開閉弁ユニット３２は、図１２により既に説明した、操作部３６、押し棒３８、パイロット弁４０、緩衝手段であるコイルばね４２、パイロット弁口（圧力開放穴）４４を備えたダイヤフラム式の主弁４６、圧力室４８を形成するためのハウジング５０（５０ａ，５０ｂ）、弁座５２、シール部材５４、小穴５６を備えている。
【００４７】
次に、上述した小穴（一次圧流入口）５６には、クリーニング用のピン５８が挿入されており、小穴５６の一次圧流入口の通水面積を絞っている。これにより、上述したように、一次圧の圧力室への流入速度を抑制することで主弁４６の閉止速度を緩やかにし、閉止時に発生するウォーターハンマーを低減できるようにしている。
【００４８】
圧力室４８を形成するハウジング５０は、主にパイロット弁４０が配置された空間を取り囲む第１ハウジング５０ａと、主弁４６の背面側の空間を取り囲む第２ハウジング５０ｂから構成されている。
また、最外周側には、操作部３６、第１ハウジング５０ａ、第２ハウジング５０ｂ、弁座５２の４つの部品を組み付けることにより、開閉弁ユニット３２を組み立てるための組付ナット６０が配置されている。
【００４９】
開閉弁ユニット１３０（１３２）は、さらに、パイロット弁切替保持機構６２を備えている。このパイロット弁切替保持機構６２は、上述したカラン用押し釦１０８及びシャワー用押し釦１１０に連動しており、これらの押し釦１０８，１１０を押す毎に、即ち、操作部３６が押される毎に、パイロット弁４０の吐水状態位置と止水状態位置の切り替えを繰り返すと共にパイロット弁４０を吐水状態位置及び止水状態位置に保持する機能を有する。
【００５０】
このパイロット弁切替保持機構６２は、一般にノック式ボールペンのノック機構などで使用される機構でもよいが、本実施形態では、図１３に示すように、操作部３６と連動して移動するピン６４と、第１ハウジング５０ａの外周面に形成されピン６４の下方側が弾性変形しながらこれに沿って移動する逆ハート形状のカム溝６６と、止水状態（閉状態）でピン６４を保持する保持用突起６８から形成されたハートカム機構である。
【００５１】
パイロット弁切替保持機構６２がハートカム機構であるので、圧力室４８をシールするシール部材５４に、押し棒３８の往復運動（上下運動）のみが作用し、上述したノック機構のように押し棒３８の回転運動が作用しないため、シール部材５４への負担が少なくなり、高い信頼性が得られる。
【００５２】
また、符号６９は、付勢用ばねであり、この付勢用ばね６９により、止水状態から吐水状態に切替操作する際、即ち、押し釦８，１０が押された際、パイロット弁切替保持機構６２による止水状態位置における保持が解除され、操作部３６が上方に付勢され、パイロット弁４０が弁体４２から解離し、容易に吐水状態に切り替えることができるようになっている。
【００５３】
次に、押し棒３８とパイロット弁４０の結合部について説明する。図１３及び図１４に示すように、押し棒３８の先端（下端）であって圧力室４８の内部には、上述したように、押し棒３８のストローク方向の移動距離（変位量）を吸収する緩衝手段であるコイルばね４２が設けられている。押し棒３８の先端（下端）に大径部３８ａが形成され、さらに、パイロット弁４０の先端には、パッキン４０ａが装着されている。パイロット弁４０は、中空部４０ｂを有し、この中空部４０ｂにコイルばね４２を内蔵している。パイロット弁４０の上側には、押し棒３８が摺動可能に挿入される挿入穴４０ｃが形成されている。パイロット弁４０は、弾性変形可能な樹脂材料で作られており、組立て時は、パイロット弁４０を変形させながら、押し棒３８を挿入穴４０ｃに挿入し、中空部４０ｂ内に押し棒３８の大径部３８ａを収納するようにしている。ここで、コイルばね４２は押し棒３８とパイロット弁４０とを引き離す方向に作用している。
【００５４】
これにより、止水状態から吐水状態に切り替える吐水操作時には、コイルばね４２の付勢力により押し棒３８の先端の大径部３８ａとパイロット弁４０の上側が係合し、それにより、パイロット弁４０は、押し棒３８の動きと連動し、主弁４６に形成されたパイロット弁口４４から離座する（図１４参照）。
【００５５】
吐水状態から止水状態に切り替える止水操作時には、パイロット弁４０が主弁４６に形成されたパイロット弁口４４に当接するとき、押し棒３８の大径部３８ａは、パイロット弁４０の上側から離れて下降するが、押し棒３８のストローク方向の移動距離（変位量）はコイルばね４２により吸収される（図１３参照）。
【００５６】
これにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００５７】
さらに、開閉弁ユニット１３０（１３２）において、押し棒３８には、上述したように、圧力室４８内の水圧により受ける上向きの力（押し棒３８の断面積に相当する面積に作用する水圧）が作用するので、操作部３６における操作力を小さくするためには、押し棒３８の径は、出来る限り小さいのが好ましい。例えば、押し棒３８を、主弁４６のパイロット弁口４４よりも小径に形成するようにしても良い（図示せず）。これにより、高水圧時にも、操作力（押し力）を低くすることができるとともに確実な止水性を確保できる。
【００５８】
さらに、パイロット弁４０は、止水時、つまりパイロット弁４０がパイロット弁口４４に着座しているとき、パイロット弁４０は、一次圧を受け、その結果、パイロット弁４０がパイロット弁口４４へ着座する方向に力が働き、止水機能が確実となる。
さらに、押し棒３８は、ステンレス鋼にて形成されている。このため、押し棒３８を小径とした場合であっても、水中の使用に対して十分な耐食性が得られ、信頼性が向上する。
【００５９】
次に、図１５及び図１６を参照して、上述したパイロット式開閉弁装置（開閉弁ユニット）によれば、緩衝手段であるコイルばねに作用する荷重（ばね荷重）が小さくなり、それにより、ばね定数を小さくでき、その結果、良好な操作感を得ることができ、コンパクト化を図ることができるので、以下その理由を説明する。
ここでは、押し棒３８の直径が２ｍｍ、水圧が０．７５ＭＰａ（水道圧の最大値）、シール部材５４の摺動摩擦抵抗に抗する力が０．６Ｎであるという条件を例として説明する。
【００６０】
図１５は、本実施形態に使用される開閉弁ユニットによる止水操作時（吐水状態から止水状態への切替時）の操作部３６の移動距離（変位量）（ｍｍ）と操作力Ｆ（Ｎ）との関係を示した線図である。図２２は、本実施形態に使用される開閉弁ユニットによる止水操作時の操作部３６の移動距離（変位量）（ｍｍ）とコイルばねに作用するばね荷重（Ｎ）との関係を示した線図である。ここで、ｄ０は止水操作開始時の位置、ｄ１はパイロット弁４０がパイロット弁口４４に当接する位置、ｄ２は操作部３６がパイロット弁切替保持機構６２により移動（変位）可能な最下端の位置を示している。
【００６１】
先ず、本実施形態においては、コイルばね４２は、組付け時にごく小さな荷重（例えば、０．１Ｎ）を作用させた状態でパイロット弁４０の中空部４０ｂに取り付けられている。
次に、ｄ０の位置からｄ１の位置までの間、即ち、パイロット弁４０がパイロット弁口４４に当接するまでは、押し棒３８には、上述した水圧により受ける力２．４Ｎ（＝押し棒の断面積×水圧＝３．１４ｍｍ2 ×０．７５ＭＰａ）及びシール部材５４の摺動摩擦抵抗に抗する力０．６Ｎの合力に釣り合う操作力３Ｎ（＝２．４Ｎ＋０．６Ｎ）が作用している。この結果、図１５に示すように、パイロット弁４０がパイロット弁口４４に当接するまでは、操作力Ｆは、３Ｎとなる。
一方、パイロット弁４０がパイロット弁口４４に当接するまで（ｄ０の位置からｄ１の位置までの間）は、図６に示すように、コイルばね４２には、荷重は作用していない、即ち、ばね荷重はゼロである。
【００６２】
次に、パイロット弁４０がパイロット弁口４４に当接した以降において、操作力によりコイルばね４２をたわます必要があるが、このコイルばね４２には、パイロット弁４０がパイロット弁口４４に当接するまで、ほとんど荷重が作用していないので、コイルばね４２をたわませるために作用するばね荷重は、極めて小さな荷重（ほぼゼロ）で良い。それゆえ、本実施形態に使用されるパイロット式開閉弁装置では、操作部３６が移動（変位）可能な最下端の位置ｄ２において、ばね荷重が．０．４Ｎ程度の値となるような小さな値のばね定数を設定した。
【００６３】
具体的に説明すると、パイロット弁４０がパイロット弁口４４に当接した以降、即ち、操作部の移動距離がｄ１からｄ２まで変化するときのコイルばね４２のたわみ量（δ）は、４ｍｍである。ここで、組付け時のばね荷重をゼロとした場合、コイルばね４２のばね定数は、０．１Ｎ／ｍｍ（＝０．４Ｎ／４ｍｍ）となり、組付け時のばね荷重を０．１Ｎとした場合には、０．０７５Ｎ／ｍｍ（＝（０．４‐０．１）Ｎ／４ｍｍ）となる。
【００６４】
ここで、本実施形態の開閉弁ユニットにおける緩衝手段であるコイルばねのばね定数の好ましい範囲を説明する。
先ず、本実施形態では、０．０１〜２Ｎ／ｍｍの範囲が好ましく、コイルばねのばね定数をこの範囲に設定することにより、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
【００６５】
次に、パイロット弁４０がパイロット弁口４４に当接するまで（ｄ０からｄ１の間）の操作力（３Ｎ）を初期操作力とした場合、パイロット弁４０がパイロット弁口４４に当接した以降に付加される操作力（ばね荷重）が、この初期操作力の値（３Ｎ）以下であれば、止水操作時において、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。この場合には、コイルばねのばね定数を、０．０１〜Ｐ1ｄ2π/（４δ）Ｎ／ｍｍと設定すればよい。ここで、δはコイルばねのたわみ量（ｍｍ）、Ｐ1  は水圧（ＭＰａ）、ｄは押し棒部の直径（ｍｍ）である。
【００６６】
また、上述した場合についてより具体的に説明すると、押し棒の直径が２ｍｍ、水圧が０．７５ＭＰａ（水道圧の最大値）、コイルばね４２のたわみ量が４ｍｍである場合には、コイルばねのばね定数は、０．０１〜０．７５Ｎ／ｍｍ（＝３Ｎ／４ｍｍ）となる。
【００６７】
このため、本実施形態では、コイルばねのばね定数を、０．０１〜０．７５Ｎ／ｍｍの範囲に設定するようにしても良く、それにより、(1) パイロット弁４０がパイロット弁口４４に当接するまでと、(2) パイロット弁４０がパイロット弁口４４に当接した以降の両方において、操作力に差（ムラ）がなくなり、操作感がより好ましいものとなる。
【００６８】
上述した本実施形態におけるコイルばねのばね定数の最少値は、コイルばねのばね定数を小さくするために必要な条件である、コイルばねのばね腺材の径を小さくする、コイルばねの巻数を少なくする、コイルばねの径を増やすという３つの条件に基づいて、０．０１Ｎ／ｍｍに設定した。
このように、本実施形態では、コイルばね４２のばね定数を、小さく設定することができる。
【００６９】
その結果、図１５から明らかであるが、上述したように、止水操作時において、(1) パイロット弁４０がパイロット弁口４４に当接するまでと、(2) パイロット弁４０がパイロット弁口４４に当接した以降の両方において、操作力に差（ムラ）がなくなり、操作感が好ましいものとなる。
さらに、本実施形態によれば、図１６から明らかなように、ばねに作用するばね荷重が小さくなり、良好な操作感を得ることができ、さらに、コンパクト化することができる。
【００７０】
さらに、シャワー用押し釦１０等を強く押してパイロット弁４０をパイロット弁口４４に急速に当接させて弁を閉じる場合、コイルばね４２のばね定数を小さな値に設定し、それにより、ばね荷重を小さくしているので、主弁４６の移動速度を遅くすることができ、その結果、主弁に作用する瞬間的な大きな負荷の発生が防止され、ダイヤフラムの寿命を長くすることができる。
【００７１】
次に、図１７及び図１８を参照して、本発明の第２実施形態の水栓装置である湯水混合水栓を説明する。図１７は本発明の第２実施形態の湯水混合水栓の全体斜視図であり、図１８はその平面図、正面図、左側面図及び右側面図である。本発明の第２実施形態の湯水混合水栓は、カバー部材の形状が第１実施形態とは異なる。従って、ここでは、本発明の第２実施形態の第１実施形態とは異なる点のみ説明し、同様の構成要素については同一の参照番号を付して説明を省略する。
【００７２】
図１７及び図１８に示すように、本発明の第２実施形態による湯水混合水栓１７０は、水栓本体１０２を備え、この水栓本体１０２に、温度調整用ダイヤル１０４及び押ボタンユニット１０６が取り付けられている。この押ボタンユニット１０６は、カラン吐水用のカラン用押し釦１０８、シャワー吐水用のシャワー用押し釦１１０、これらの押し釦１０８，１１０が取り付けられるベースプレート１１２、及び、押し釦１０８，１１０をロックして止水状態を保持するロック機構１４２から構成されている。また、温度調整用ダイヤル１０４には、カバー部材１７２が設けられ、このカバー部材１７２は、水栓本体１０２全体に亘って横方向に延びている。
【００７３】
温度調整用ダイヤル１０４は、水栓本体１０２の左端に取付けられている。温度調整用ダイヤル１０４には、その半径方向に突出したレバー部１０４ａが形成されている。このレバー部１０４ａの先端部には、カバー部材１７２が取付けられている。カバー部材１７２は、水栓本体１０２の左端の温度調整用ダイヤル１０４から水栓本体１０２の右端まで、水栓本体１０２から間隔を隔てて横方向に延び、水栓本体１０２の右端に回動自在に支持されている。図１８（ａ）に最も良く示すように、カバー部材１７２の右側端部には、拡張部１７２ａが形成されており、カバー部材１７２と水栓本体１０２との間隔が狭められている。
【００７４】
カバー部材１７２は温度調整用ダイヤル１０４と連動して水栓本体１０２の周りを図１８（ｄ）に示すように移動する。温度調整用ダイヤル１０４を、シャワーから吐水すると危険な温度、例えば４５゜Ｃ以上の位置まで回転させると、カバー部材１７２は温度調整用ダイヤル１０４と共に移動して、図１８（ｄ）の位置Ａ１から押し釦１０８，１１０の上方の位置Ａ２に移動する。カバー部材１７２が押し釦１０８，１１０の上方に移動した、位置Ａ２においては、シャワー用の押し釦である押し釦１１０は、カバー部材１７２の拡張部１７２ａによって覆われて非常に操作しにくくなる。すなわち、カバー部材１７２の拡張部１７２ａが存在する部分では、拡張部１７２ａと押し釦１１０との間には小さな隙間しかないため、そこに指を入れて押し釦１１０を操作することができなくなる。なお、本実施形態においては、押し釦１０８，１１０を吐水状態の位置にすると、押し釦１０８，１１０は水栓本体１０２よりも上方に突出するので、押し釦１１０とカバー部材１７２の拡張部１７２ａとの間には、押し釦１０８，１１０の突出分の隙間が設けられているが、この隙間は小さく、指を差し入れることはできない。このため、温度調整用ダイヤル１０４を高温に設定したときに、誤ってシャワー用の押し釦１１０を押してしまうことや、押し釦１１０の上から物が落下して押し釦１１０が押されてしまう危険が回避される。しかしながら、シャワー用の押し釦１１０の左端約１／４の部分には、拡張部１７２ａが形成されていないので、使用者は、水栓本体１０２とカバー部材１７２の間の隙間から押し釦１１０の拡張部１７２ａに覆われていない部分に意図的に指を伸ばして押し釦１１０を押すことは依然として可能である。一方、カラン用の押し釦である押し釦１０８の部分には、拡張部１７２ａが形成されていないので、カバー部材１７２が押し釦１０８の上方に移動しても、使用者は、カバー部材１７２と押し釦１０８の間に指を入れて押し釦１０８を操作することが可能である。
【００７５】
また、本実施形態においては、カバー部材１７２が大きく構成されているので、使用者は温度調整用ダイヤル１０４をカバー部材１７２を掴んで操作することができ、温度調整用ダイヤル１０４の操作性が向上する。
さらに、変形例として、押し釦１１０と、カバー部材１７２の拡張部１７２ａとの間の隙間を、押し釦１０８，１１０が吐水状態の位置にされたとき上方に突出する距離よりも小さく構成しても良い。このように構成することにより、押し釦１１０を操作してシャワーから吐水させている状態において温度調整用ダイヤル１０４を高温側に回そうとしても、押し釦１１０とカバー部材１７２の拡張部１７２ａが干渉して高温側に回すことができなくなる。これにより、シャワーからの吐水中に誤って温度調整用ダイヤル１０４を高温側に回してしまうという誤操作を防止することができる。なお、この変形例の構成を採用した場合、カバー部材１７２の拡張部１７２ａが押し釦１１０の上方に位置するときには、押し釦１１０を操作することができないので、拡張部１７２ａが押し釦１１０全体を覆うように構成するのが良い。
【００７６】
次に、図１９乃至図２１を参照して、本発明の第３実施形態の湯水混合水栓を説明する。本実施形態の湯水混合水栓は、温度調整用ダイヤルを高温に設定すると、シャワー用の押し釦が操作不能になるように構成されている。図１９は、本発明の第３実施形態の湯水混合水栓の全体斜視図である。図２０（ａ）は湯水混合水栓のシャワー用押し釦操作可能状態における平面図であり、（ｂ）は左側面図、（ｃ）は右側面断面図である。同様に、図２１（ａ）はシャワー用押し釦操作不能状態における平面図であり、（ｂ）は右側面断面図である。なお、図２０（ｃ）は、図２０（ａ）のＮ−Ｎ線に沿って取られた断面図であり、図２０（ａ）は、図２０（ｂ）のＭ−Ｍ線に沿った階段断面図として示されている。また、図２１（ａ）は図２０（ａ）と同様の、図２１（ｂ）は図２０（ｃ）と同様の断面図として示されている。
【００７７】
図１９乃至図２１に示すように、符号２０１は、本実施形態による湯水混合水栓を示し、この湯水混合水栓２０１は、湯水混合水栓２０１の設置面である壁面から突出して設けられている。この湯水混合水栓２０１は、水栓本体２０２と水栓本体２０２の上面を覆うカバー２０３を備え、この水栓本体２０２の上面に、温度調整用ダイヤル２０４及び２つの押し釦２０８、２１０が取り付けられている。また、図２０（ｃ）に示すように、各押し釦２０８、２１０の下には、カラン用、シャワー用の開閉弁ユニット２３０、２３２（２３２のみ図示）が夫々配置されている。各開閉弁ユニットの構成は第１実施形態と同様であるので説明を省略する。
【００７８】
水栓本体２０２に流入した湯及び水は、温度調整用ダイヤル２０４の設定に基づいた比率で混合され適温に調整される。使用者が、押し釦２０８を押すと、その下方に位置する開閉弁ユニット２３０が開状態となり、カラン吐水口２１６から適温に調整された水が吐出される。また、押し釦２１０を押すと、その下方に位置する開閉弁ユニット２３２が開状態となり、シャワー吐水口２１８から適温に調整された水が吐出される。温度調整用ダイヤル２０４には、高温吐水用釦２０９が設けられている。温度調整用ダイヤル２０４を高温（例えば４２゜Ｃ以上）に設定する場合には、温度調整用ダイヤル２０４を所定の高温まで回した後、高温吐水用釦２０９を押してロックを解除し、更に温度調整用ダイヤル２０４を高温側に回転させなければ、温度調整用ダイヤル２０４を高温側まで回せないように構成されている。これにより、使用者が無意識のうちに温度調整用ダイヤル２０４を高温側に回してしまう危険を回避している。
【００７９】
次に、シャワー用の押し釦２１０の係止機構について説明する。温度調整用ダイヤル２０４の、カバー２０３の下に隠れた部分には、歯車部２０４ａが形成されている。また、カバー２０３の裏側には、係止部材２０６が摺動可能に支持されている。係止部材２０６は、Ｌ字形の突起を有する板状の部材であり、この突起の先端には歯車部２０６ａが形成されている。図２０（ａ）に示す、温度調整用ダイヤル２０４が低温側（例えば、４５゜Ｃよりも低い４０゜Ｃ）に設定された状態においては、温度調整用ダイヤル２０４の歯車部２０４ａと、係止部材２０６の歯車部２０６ａは噛み合っておらず、係止部材２０６は格納位置にある。次に、温度調整用ダイヤル２０４を右に回して吐水温度を高温（例えば、４５゜Ｃよりも高い５０゜Ｃ）に設定すると、図２１（ａ）に示すように、温度調整用ダイヤル２０４の歯車部２０４ａと、係止部材２０６の歯車部２０６ａが噛み合って係止部材２０６全体が前方に移動し、係止部材２０６は突出位置となる。係止部材２０６が突出位置に移動すると、係止部材２０６の先端がシャワー用の押し釦２１０の下側に突出するようになり、押し釦２１０を下方に動かすことができなくなる。このため、温度調整用ダイヤル２０４の高温設定時におけるシャワー用の押し釦２１０の誤操作が防止される。次いで、温度調整用ダイヤル２０４を左に回して吐水温度の設定を低温に戻すと、係止部材２０６が温度調整用ダイヤル２０４の歯車部２０４ａによって後方に引き下げられ、係止部材２０６は図２０（ａ）に示す格納位置に復帰して、シャワー用の押し釦２１０が使用可能になる。
【００８０】
本発明の第３実施形態の湯水混合水栓によれば、高温設定時におけるシャワー用押し釦の誤操作や、シャワー用押し釦の上への落下物による不意のシャワーから高温の水の吐水を回避することができる。
【００８１】
次に、図２２を参照して、本発明の第４実施形態による湯水混合水栓を説明する。本実施形態の湯水混合水栓は、一方の押し釦を押すと湯と水の混合水が直接カランから吐水され、他方の押し釦を押すと湯と水の混合水が、浄水器を介して吐水される点が、第３実施形態とは異なる。従って、ここでは、第４実施形態の第３実施形態とは異なる点のみを説明し、同様の構成要素には同一の参照番号を付して説明を省略する。
【００８２】
図２２は、本発明の第４実施形態による湯水混合水栓の全体斜視図である。図２２に示すように、符号３０１は、本実施形態による湯水混合水栓を示し、この湯水混合水栓３０１は、湯水混合水栓３０１の設置面である壁面から突出して設けられている。この湯水混合水栓３０１は、水栓本体２０２と水栓本体２０２の上面を覆うカバー２０３を備え、この水栓本体２０２の上面に、温度調整用ダイヤル２０４及び２つの押し釦２０８、２１０が取り付けられている。また、各押し釦２０８、２１０の下には、原水吐水用、浄水器吐水用の開閉弁ユニット（図示せず）が夫々配置されている。これにより、原水吐水用押し釦２０８を押すと湯と水が混合され適温に調整された混合水がカラン吐水口２１６を通ってカランから吐出され、浄水器吐水用押し釦２１０を押すと混合水が浄水器吐水口３０４を通って浄水器３０２に流入して浄水され、浄水器の吐出口３０２ａから吐出する。なお、各開閉弁ユニットの構成は第１実施形態と同様であるので説明を省略する。
【００８３】
浄水器吐水用押し釦２１０は、温度調整用ダイヤル２０４を、浄水器に流入させると浄水器のフィルターを損傷してしまう温度、例えば、６０゜Ｃ以上に設定すると、係止機構（図示せず）によって操作できなくなるように構成されている。これにより、温度調整用ダイヤル２０４を高温に設定しているとき、浄水器吐水用押し釦２１０を誤って押し、浄水器３０２のフィルターを損傷してしまうことが回避される。なお、押し釦２１０を操作不能にする係止機構の構成は第３実施形態と同様であるので説明を省略する。
【００８４】
本発明の第４実施形態の湯水混合水栓によれば、高温設定時における浄水器吐水用押し釦の誤操作や、浄水器吐水用押し釦の上への落下物により、浄水器に高温の水を流入させ、浄水器のフィルターを損傷してしまうことを回避することができる。
【００８５】
以上、本発明の好ましい実施形態を説明したが、上述した実施形態に種々の変更を加えることができる。特に、上述した実施形態では、シャワー及び浄水器に吐水させる押し釦を、誤操作防止機構や係止機構により操作をし難くし、又は操作不能にしていたが、この押し釦により吐水させる対象物は、高温の水が流入すると不都合がある任意のものにすることができる。また、上述した実施形態においては、押し釦は２つであり、そのうちの一つの押し釦の誤操作を防止していたが、押し釦の数は３つ以上でも良く、そのうちの１つ又は複数の押し釦の誤操作を防止するように、本発明を構成することもできる。
【図面の簡単な説明】
【００８６】
【図１】本発明の第１実施形態による湯水混合水栓を示す全体斜視図である。
【図２】図１に示された湯水混合水栓の平面図である。
【図３】図１に示す湯水混合水栓の部品を展開して示す展開図である。
【図４】本発明の第１実施形態の水栓本体を示す平面図である。
【図５】図４のＡ−Ａ線、Ｂ−Ｂ線及びＣ−Ｃ線に沿って見た断面図である。
【図６】本発明の第１実施形態による押ボタンユニットの部品を展開して示す展開図である。
【図７】本発明の第１実施形態による押し釦を裏側から見た斜視図である。
【図８】本発明の第１実施形態による押ボタンユニットを示す正面図である。
【図９】図８のＤ−Ｄ線に沿って見た断面図である。
【図１０】使用者が押し釦を操作するときの押し釦の各レベルを示す混合水栓の部分断面図である。
【図１１】本発明の第１実施形態の押し釦による止水状態（図１１（ａ））と吐水状態（図１１（ｂ））を示す側面図である。
【図１２】本発明の第１実施形態の開閉弁ユニットの基本構造を示す概略図である。
【図１３】開閉弁ユニットにおける止水状態（閉状態）を示す断面図である。
【図１４】開閉弁ユニットにおける吐水状態（開状態）を示す断面図である。
【図１５】本発明の第１実施形態による止水操作時の操作部の移動距離（変位量）と操作力Ｆとの関係を示した線図である。
【図１６】本発明の第１実施形態による止水操作時の操作部の移動距離（変位量）とコイルばねに作用するばね荷重（Ｎ）との関係を示した線図である。
【図１７】本発明の第２実施形態による湯水混合水栓を示す全体斜視図である。
【図１８】図１７に示された湯水混合水栓の平面図（ａ）、正面図（ｂ）、左側面図（ｃ）、及び右側面図（ｄ）である。
【図１９】本発明の第３実施形態による湯水混合水栓を示す全体斜視図である。
【図２０】図１９に示された湯水混合水栓のシャワー用押し釦操作可能状態における平面図（ａ）、左側面図（ｂ）、及び右側面断面図（ｃ）である。
【図２１】図１９に示された湯水混合水栓のシャワー用押し釦操作不能状態における平面図（ａ）、及び右側面断面図（ｂ）である。
【図２２】本発明の第４実施形態による湯水混合水栓を示す全体斜視図である。
【符号の説明】
【００８７】
１０１  本発明の第１実施形態の湯水混合水栓
１０２  水栓本体
１０４  温度調整用ダイヤル
１０５  カバー部材
１０６  押ボタンユニット
１０８  カラン用押し釦
１０９  高温吐水用釦
１１０  シャワー用押し釦
１１２  ベースプレート
１１６  カラン吐水口
１１８  シャワー吐水口
１２０  カラン吐水管
１３０，１３２  開閉弁ユニット（パイロット式開閉弁装置）
１３４  開閉弁ユニット取付用ナット
１３６  固定用ビス
１３８  仕切り部
１４０  コイルばね（付勢手段）
１４２，１６０  ロック機構
１４４  支持軸
１４６  操作用突起
１４８  取付用溝
１５０  突起
１５２  ロック用ツメ部
１５４  ロック用リブ
１７０  本発明の第２実施形態の湯水混合水栓
１７２  カバー部材
２０１  本発明の第３実施形態の湯水混合水栓
２０２  水栓本体
２０３  カバー
２０４  温度調整用ダイヤル
２０６  係止部材
２０８  カラン用押し釦
２０９  高温吐水用釦
２１０  シャワー用押し釦
２１６  カラン吐水口
２１８  シャワー吐水口
３０１  本発明の第４実施形態の湯水混合水栓
３０２  浄水器
【図１】
2005171519.tif 000003
【図２】
2005171519.tif 000004
【図３】
2005171519.tif 000005
【図４】
2005171519.tif 000006
【図５】
2005171519.tif 000007
【図６】
2005171519.tif 000008
【図７】
2005171519.tif 000009
【図８】
2005171519.tif 000010
【図９】
2005171519.tif 000011
【図１０】
2005171519.tif 000012
【図１１】
2005171519.tif 000013
【図１２】
2005171519.tif 000014
【図１３】
2005171519.tif 000015
【図１４】
2005171519.tif 000016
【図１５】
2005171519.tif 000017
【図１６】
2005171519.tif 000018
【図１７】
2005171519.tif 000019
【図１８】
2005171519.tif 000020
【図１９】
2005171519.tif 000021
【図２０】
2005171519.tif 000022
【図２１】
2005171519.tif 000023
【図２２】
2005171519.tif 000024